(57)【要約】      （修正有）【課題】大小様々な塵埃をより確実に塵埃を吸引でき、かつ、操作性の軽い電気掃除機の吸口体およびこれを備えた電気掃除機を提供する。【解決手段】下面に吸込口を有するケース体と、吸引力を発生する掃除機本体に連通し塵埃を吸い込む吸込口と、前記吸込口の前後にそれぞれ前記ケース体に対し回動可能に配置された可動フラップとを備え、前記可動フラップは、ケース体の前進時と後進時に床面と接触して回動する接触回動部と、吸込口に対し移動方向前側に位置する時に前記被掃除面との間に開口を形成し、移動方向後側に位置する時に前記開口を閉じるフラップ部とを備え、前記フラップ部は、前記開口を閉じた時に、被掃除面に対しケース体の反移動側に傾斜状に倒れた状態で付勢されるとともに、最下部が前記被掃除面と接触するかその近傍に位置する。【選択図】図３
2019187579.tif 000002
【特許請求の範囲】
【請求項１】
下面に吸込口を有するケース体と、吸引力を発生する掃除機本体に連通し塵埃を吸い込む吸込口と、前記吸込口の前後にそれぞれ前記ケース体に対し回動可能に配置された可動フラップとを備え、前記可動フラップは、ケース体の前進時と後進時に床面と接触して回動する接触回動部と、吸込口に対し移動方向前側に位置する時に前記被掃除面との間に開口を形成し、移動方向後側に位置する時に前記開口を閉じるフラップ部とを備え、前記フラップ部は、前記開口を閉じた時に、被掃除面に対し傾斜状に倒れた状態であるとともに、最下部が前記被掃除面と接触するかその近傍に位置することを特徴とする電気掃除機の吸口体およびこれを備えた電気掃除機。
【請求項２】
前記フラップ部は、前記フラップ部が開いた時に前記被掃除面の間に形成する開口を部分的に閉じる少なくとも一つ以上の凸部を有することを特徴とする請求項１に記載の電気掃除機の吸口体およびこれを備えた電気掃除機。
【請求項３】
前記凸部は、下部に被掃除面に対して略平行な面を有していることを特徴とする請求項2に記載の電気掃除機の吸口体およびこれを備えた電気掃除機。
【請求項４】
前記凸部は、前記ケース体の進行方向と平行方向に凹凸形状または傾斜形状を備えていることを特徴とする請求項2に記載の電気掃除機の吸口体およびこれを備えた電気掃除機。
【請求項５】
前記可動フラップは、前記ケース体に対して固定され回動中心となる樹脂や金属の硬質部材で形成される軸と、軟質部材で形成されることを特徴とする請求項１乃至請求項4の何れか１項に記載の電気掃除機の吸口体およびこれを備えた電気掃除機。
【請求項６】
前記可動フラップは、前記ケース体に対して固定され回動中心となる樹脂や金属の硬質部材で形成される軸とを一体化して形成される前記フラップ部と、軟質部材で形成される前記接触回動部にて構成されることを特徴とする請求項１乃至請求項5の何れか１項に記載の電気掃除機の吸口体およびこれを備えた電気掃除機。
【請求項７】
前記フラップ部は、先端に刷毛部材または軟質部材が設けられていることを特徴とする請求項１乃至請求項6の何れか１項に記載の電気掃除機の吸口体およびこれを備えた電気掃除機。
【請求項８】
前記可動フラップ部の少なくともいずれか一方には、前記可動フラップの開方向、または閉方向に時前記可動フラップを付勢する手段を備えていることを特徴とする請求項１乃至請求項7の何れか1項に記載の電気掃除機の吸口体およびこれを備えた電気掃除機。
【発明の詳細な説明】
【技術分野】
【０００１】
本発明は、電気掃除機の吸口体及びこれを備えた電気掃除機に関する。
【背景技術】
【０００２】
本技術分野の背景技術として、特許第6105886号公報（特許文献１）がある。この公報に開示されている電気掃除機の吸口体は、前後方向に移動可能なケース体と、電動機と、前記ケース体に回転可能に配置され前記電動機によって駆動されることで塵埃を下流側へと導く回転体と、被掃除面に対向して開口し塵埃を吸い込む吸込口と、前記吸込口の前後に回動可能に配置された、被掃除面との接触により前記吸口体の反移動方向にそれぞれ回動して、移動方向前側に位置するものが前記吸込口体に傾斜上に倒れて前記回転体の下側に対向するとともに移動方向後ろ側に位置するものが被掃除面に対して起立する清掃部材とを備えている。
【先行技術文献】
【特許文献】
【０００３】
【特許文献１】特許第6105886号公報
【発明の概要】
【発明が解決しようとする課題】
【０００４】
本発明では、大小様々な塵埃をより確実に塵埃を吸引でき、かつ操作性の軽い電気掃除機の吸口体およびこれを備えた電気掃除機を提供することを目的とする。
【課題を解決するための手段】
【０００５】
下面に吸込口を有するケース体と、吸引力を発生する掃除機本体に連通し塵埃を吸い込む吸込口と、前記吸込口の前後にそれぞれ前記ケース体に対し回動可能に配置された可動フラップとを備え、前記可動フラップは、ケース体の前進時と後進時に床面と接触して回動する接触回動部と、吸込口に対し移動方向前側に位置する時に前記被掃除面との間に開口を形成し、移動方向後側に位置する時に前記開口を閉じるフラップ部とを備え、前記フラップ部は、前記開口を閉じた時に、被掃除面に対し傾斜状に倒れた状態であるとともに、最下部が前記被掃除面と接触するかその近傍に位置することを特徴とする。
【発明の効果】
【０００６】
本発明によれば、吸込体の前進時及び後進時ともに、ケース体の移動方向前側に位置するフラップが開き被掃除面に対し開口を形成するとともに、ケース体の移動方向後側に位置するフラップが傾斜状に倒れた状態で閉じて床との密閉性を確保することで、大小様々な塵埃をより確実に塵埃を吸引でき、かつ、操作性の軽い電気掃除機の吸口体およびこれを備えた電気掃除機を提供することができる。
【図面の簡単な説明】
【０００７】
【図１】本発明に係る電気掃除機の全体を示す外観斜視図である。
【図２】本発明に係る実施例１の吸口体の上面図である。
【図３】本発明に係る実施例１の吸口体の下面図である。
【図４】本発明に係る実施例１の吸口体の側面図である。
【図５】本発明に係る実施例１の吸口体の上側部分を取り外した状態の上面図である。
【図６】図２に記載の吸口体の前進時のＡ−Ａ断面図である。
【図７】図２に記載の吸口体の後退時のＡ−Ａ断面図である。
【図８】実施例２の前進時における吸口体の斜視図である。
【図９】実施例３の前進時における吸口体の斜視図である。
【図１０】実施例４の前進時における吸口体の斜視図である。
【図１１】前方フラップ７６Ｄの斜視図である。
【図１２】前方フラップ７６Ｅの斜視図である。
【図１３】後方フラップ７７Ｆの斜視図である。
【図１４】吸口ケース１０の、軸受押え部材３２を外した状態の斜視図である。
【発明を実施するための形態】
【０００８】
以下、本発明に係る実施例について図面を参照して説明する。
【実施例１】
【０００９】
以下、本発明に係る実施例１について図面を参照して説明する。図１に本発明の実施例１に係る電気掃除機の外観図を示す。電気掃除機１は、掃除機本体２と、ホース部３と接続し手元操作スイッチＳＷ等が設けられた操作管４と、伸縮自在に設けられた延長管５と、吸口体６とで構成されている。
【００１０】
掃除機本体２は、吸引力を発生させる電動送風機２ａ、この電動送風機２ａの吸引力で集塵した塵埃を収容する集塵部２ｂなどを備えている。なお、本実施例では、いわゆるサイクロン式の電気掃除機を例に挙げて説明するが、いわゆる紙パック式の電気掃除機に適用してもよい。
【００１１】
ホース部３の一端は、掃除機本体２の集塵部２ｂと連通するように掃除機本体２の接続口２ｃに接続されている。また、ホース部３の他端は、操作管４の一端に接続されている。
【００１２】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１３】
操作管４の手元操作スイッチＳＷを操作することによって、電動送風機２ａの運転と停止や強中弱の切り替え、吸口体６に設けられた電動機４０（図５参照）の運転と停止が可能となっている。
【００１４】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１５】
図２は、吸口体の上面図である。図２に示すように、吸口体６は、上面視において略Ｔ字形状を呈する吸口ケース１０と、吸口ケース１０に連結される吸口継手１３とを備えている。
【００１６】
吸口ケース１０は、上面視において、左右方向（幅方向）に細長く形成された吸口本体１１と、吸口本体１１の左右方向の中央部に吸口継手１３と連結される連結部１２とを備えている。連結部１２には、吸口本体１１と吸口継手１３とを連通させる流路Ｒ（図３参照）が形成されている。
【００１７】
吸口本体１１には、前端面から左右側面にかけてバンパ１１ａが設けられている。バンパ１１ａは、使用時に吸口本体１１内の気密を確保するとともに、電気掃除機１（図１参照）の使用時に吸口本体１１が家具等に衝突した際に、当該家具等への傷付き防止と吸口本体１１への衝撃を吸収する緩衝材の役割を果たしている。
【００１８】
吸口継手１３は、連結部１２に対して回動自在に連結される第１連結部１４と、この第１連結部１４に対して回動自在に連結される第２連結部１５とを備えている。第１連結部１４は、図２の上面視において略Ｄ字形状を呈し、連結部１２と連結される円筒形状の軸１４ａを有している。この軸１４ａは、軸方向が吸口本体１１の左右方向であって、軸１４ａの両端部が連結部１２に形成された軸受部１２ｇ（図５参照）に支持されている。また、第１連結部１４は、床面（清掃面）Ｍ（図４参照）に対して略平行な状態から略垂直な状態まで回動可能となるように構成されている。すなわち、第１連結部１４を吸口ケース１０に対して軸１４ａを支点として回動させることによって、延長管５（図１参照）を床面Ｍ（図４参照）に略平行な状態と略垂直な状態との間において回動させることができる。
【００１９】
第２連結部１５は、第１連結部１４に対して吸口本体１１の左右方向に（図２の紙面時計回り方向および反時計回り方向に）回動可能となるように構成されている。これにより、例えば、延長管５を床面Ｍに対して略垂直にした状態から、延長管５を床面Ｍに略平行な状態に向けて倒すことができる。また、第２連結部１５には、給電が行われる給電端子１５ａが設けられている。なお、本実施例の電気掃除機１（図１参照）では、吸口体６に給電する電力を、掃除機本体２からホース部３、操作管４、延長管５を通じて供給するように構成している。
【００２０】
図３は、吸口体の下面図である。図４は、吸口体の側面図である。図３および図４に示すように、吸口体６は、回転ブラシ２０を備えている。吸口ケース１０（吸口本体１１）には、下面（清掃面と向き合う面）に開口部を有するブラシ室Ｑと、同じく下面に開口部（吸引口）を有する均圧室Ｐとが形成されている。
【００２１】
回転ブラシ２０は、吸口本体１１の左右方向に沿って前後方向の前側に配置され、ブラシ室Ｑ内に回転可能に支持されている。また、回転ブラシ２０は、吸口本体１１の左右方向（回転ブラシ２０の軸方向）の一端側から他端側まで連続して設けられている。
【００２２】
また、回転ブラシ２０は、硬さが異なるブラシなど複数種類のブラシ２０ａ、２０ｂ、２０ｃを備え、各ブラシ２０ａ、２０ｂ、２０ｃがらせん状に配設されている。なお、本実施の形態例では、３種類のブラシ２０ａ、２０ｂ、２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。
【００２３】
サイド固定刷毛７０および７１は、刷毛体等の弾性材料で構成されていて、吸口ケース１０（吸口本体１１）の左右方向両端に配置されている。サイド固定刷毛７０および７１は、吸口ケース１０（吸口本体１１）の左右方向両端付近の床面Ｍとの隙間を塞ぐことにより，ブラシ室Ｑと均圧室Ｐの気密性を向上させ，特に微細塵の集塵性能を向上させている。
【００２４】
吸口体６は、吸口ケース１０の連結部１２の下面に、前方フラップ７６、後方フラップ７７、ブラシ駆動スイッチ１６、車輪１７、軸受押え部材３１、３２を備えている。
【００２５】
前方フラップ７６は，軸方向（左右方向）に延在するフラップ７６ａと、床面Ｍから摩擦力を受け前方フラップ部７６ａを回動可能に動作させる前方接触回動部７６ｂ，７６ｃと、軸部７６ｄによって構成されており、回転ブラシ２０に対して前方且つ平行に配置されており、吸口本体１１の左右方向の一端側から他端側にかけて連続して回動可能に支持されている。
【００２６】
また、後方フラップも同様に、軸方向（左右方向）に延在するフラップ７７ａと、後方接触回動部７７ｂ，７７ｃと、後方フラップ部７７ａを回動可能に動作させる軸部７７ｄによって構成され、回転ブラシ２０に対して後方且つ平行に配置されており、吸口本体１１の左右方向の一端側から他端側にかけて連続して回動可能に支持されている。
【００２７】
ブラシ駆動スイッチ１６は、吸口体６の下面が床面Ｍ（清掃面）に接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して床面Ｍと接触していないと検出されたときには、回路基板５０（制御基板）（図５参照）の制御によって電動機４０（図５参照）の駆動が停止され、回転ブラシ２０の回転が停止する。また、車輪１６ａが押し込まれて床面Ｍと接触していると検出されたときには、回路基板５０の制御によって電動機４０が駆動され、回転ブラシ２０が回転する。
【００２８】
車輪１７は、操作管４で操作される前後動や回転操作の応力を受けて吸口体６の底面を床面Ｍに密着させ、これにより吸口体６の操作性能を向上する役割を有している。また、軸受押え部材３１は、回転ブラシ２０の回転軸を支持すると同時に、前方フラップ７６及び後方フラップ７７の軸部７６ｄ、７７ｄの吸口ケース１０へ取り付ける部分を覆うものであり、吸口ケース１０にねじを用いて固定されている。軸受押え部材３２は、回転ブラシ２０の回転軸を支持すると同時に、前方フラップ７６及び後方フラップ７７の軸部７６ｄ、７７ｄの吸口ケース１０へ取り付ける部分を覆うものであり、取り外し可能となるように吸口ケース１０にロック機構（図示せず）を用いて固定されている。
【００２９】
図５は、吸口体６の吸口ケース１０の上側部分を取り外した状態の上面図である。図５に示すように、吸口体６は、回転ブラシ２０（図３参照）の上方に、回転ブラシ２０を駆動する電動機４０および電動機４０を制御する回路基板５０を備えている。
【００３０】
電動機４０は、吸口本体１１の左右方向の一端側に取り付けられている。また、電動機４０は、その出力軸が吸口本体１１の左右方向と平行に配置されている。また、電動機４０の出力軸は、左右方向の一端側に向けて延び、吸口本体１１内の一端部（図示右側の端部）において、歯付きベルト４１を介して回転ブラシ２０と連結されている。
【００３１】
回路基板５０は、吸口本体１１の左右方向で電動機４０とは反対側に取り付けられている。また、回路基板５０は、長辺が左右方向に沿って配置された長方形状の基板を有し、実装面が鉛直方向上向きの状態で吸口本体１１内に配置されている。なお、実装面は、必ずしも鉛直方向上向きに限定されず、水平方向に対して傾斜してもよく、前後方向を向くように（縦向きに）してもよい。
【００３２】
図６および図７は図２におけるＡ−Ａ断面図であり、図６は、吸口体６の前進時を示しており、図７は後進時を示している。図６において、６３はブラシ室Ｑと均圧室Ｐを隔てる前方隔壁、６４は後方フラップ７７と均圧室Ｐを隔てる後方隔壁である。本実施例では、前方隔壁６３が前記第１の気密保持手段を構成し、後方隔壁６４が第２の気密保持手段を構成している。
【００３３】
図６に示すように、均圧室Ｐは床面Ｍに向かって開口（吸引口）を有しており、その他の面は吸口体筐体の隔壁により囲まれおり、図３に示す流路Ｒと流路的に連通している。この均圧室Ｐは、前方隔壁６３と後方隔壁６４により負圧を大きくすることができる。
【００３４】
吸口体前進時には、前方フラップ７６は、前方接触回動部７６ｂ及び７６ｃと床面Ｍとの摩擦力によって後方(移動方向後側)に回動し、前方フラップ部７６ａと床面Ｍとの間に開口を形成する。これにより吸口体の前方に位置する比較的大きな塵埃Ｄ１は、ブラシ室Ｑ内に吸引され、回転ブラシ２０によって掻きとられ、吸口体後方へ送られる。そして前方隔壁６３と床面Ｍとの隙間を通って均圧室Ｐ内に吸引され、流路Ｒ（図３参照）に流入する。
【００３５】
一方、後方フラップ７７は、後方接触回動部７７ｂ及び７７ｃと床面Ｍとの摩擦力によって、後方(移動方向後側)に回動し、床面Ｍと接する、または隙間を小さくすることで吸口内部の気密を高めるとともに、均圧室Ｐ内に吸引された塵埃Ｄ１が、吸口体６の後方へ取りこぼすことを抑制できる。このとき、後方フラップ部７７ａは吸口ケース１０と当接し床面Ｍの垂直方向に対して後方に傾斜した状態となるため、吸口体６と床面Ｍの摩擦抵抗が小さく、吸口体６の前後操作を軽く行うことができる。また、後方フラップ部７７ａの材質や床面Ｍの接触代によって、床面Ｍとの間の摩擦抵抗が小さい場合もあり、このとき後方フラップ部７７ａが後方に傾斜させなくても良い。
【００３６】
吸口体後進時には、前方接触回動部７６ｂ及び７６ｃと床面Ｍとの摩擦力によって、前方(移動方向後側)に回動し、床面Ｍと接する、または隙間を小さくすることで吸口内部の気密を高めるとともに、均圧室Ｐ内に吸引された塵埃Ｄ１が、吸口体６の前方へ取りこぼすことを抑制できる。このとき、前方フラップ部７６ａは吸口ケース１０と当接し床面Ｍの垂直方向に対して前方に傾斜した状態となるため、吸口体と床面Ｍの摩擦抵抗が小さく、吸口体の前後操作を軽く行うことができる。また、前方フラップ部７６ａの材質や床面Ｍの接触代によって、床面Ｍとの間の摩擦抵抗が小さい場合もあり、このとき前方フラップ部７６ａは後方に傾斜させなくても良い。
【００３７】
一方、後方フラップ７７は、後方接触回動部７７ｂ及び７７ｃと床面Ｍとの摩擦力によって前方(移動方向後側)に回動し、後方フラップ部７７ａと床面Ｍとの間に開口を形成する。これにより吸口体の前方に位置する比較的大きな塵埃Ｄ２は、後方隔壁６４と床面Ｍとの隙間を通って均圧室Ｐ内に吸引され、流路Ｒ（図４参照）に流入する。
【００３８】
以上のように、吸込体の前進時及び後進時ともに、ケース体の移動方向前側に位置するフラップが開き被掃除面に対し開口を形成するとともに、ケース体の移動方向後側に位置するフラップが傾斜状に倒れた状態で閉じて床との密閉性を確保することで、大小様々な塵埃をより確実に塵埃を吸引でき、かつ、操作性の軽い電気掃除機の吸口体およびこれを備えた電気掃除機を提供することができるという効果を奏する。
【実施例２】
【００３９】
以下、本発明に係る実施例２について図８を参照して説明する。なお、実施例１と同一の構成物には同一番号を付している。
【００４０】
図８は、実施例２の前進時における吸口体の斜視図である。前方フラップ７６Ａの前方フラップ部７６Ａａは、床面Ｍに対して形成する開口を部分的に閉じる凸部７６Ａｅを有している。これにより、開口から前方の塵埃Ｄ１を吸引するとともに、吸口体内部の気密性をより高めることができる。また、凸部７６Ａｅを床面Ｍと接触させることで床面Ｍを引っ掻くことで床面Ｍにこびりついた塵埃Ｄ１を浮かせ、吸引しやすくすることができる。
【００４１】
本実施例では、前方フラップについて述べたが、後方フラップで同様の構造を取っても同様の効果が得られる。
【実施例３】
【００４２】
以下、本発明に係る実施例３について図９を参照して説明する。なお、実施例１と同一の構成物には同一番号を付している。
【００４３】
図９は、実施例３の前進時における吸口体の斜視図である。前方フラップ７６Ｂのフラップ部７６Ｂａは、床面Ｍに対して形成する開口を部分的に閉じる凸部７６Ｂｅを有しており、凸部７６Ｂeは床面Ｍの略平行な面７６Ｂｆを備えている。これにより、前方の塵埃Ｄ１を開口から吸引するとともに、吸口体内部の気密性をより高めることができ、また、面７６Ｂｆと床面Ｍの間を吸引風が通ることで床面Ｍ付近を通る吸引風の量が増えるため、絨毯上に散布された小麦粉や重曹などの細かい塵埃も吸引しやすくなる。
【００４４】
本実施例では、前方フラップについて述べたが、後方フラップに同構造を適用しても同様の効果が得られる。
【実施例４】
【００４５】
以下、本発明に係る実施例４について図１０を参照して説明する。なお、実施例１と同一の構成物には同一番号を付している。
【００４６】
図１０は、実施例４の前進時における吸口体の斜視図である。前方フラップ７６Ｃのフラップ部７６Ｃａは、床面Ｍに対して形成する開口を部分的に閉じる凸部７６Ｃｅを有しており、凸部７６Ｃeは進行方向に平行な方向に対して、凹凸形状である凹凸部７６Ｃｇを備えている。これにより、前方の塵埃Ｄ１を開口から吸引するとともに、吸口体内部の気密性をより高めることができ、また、吸口体前進時に凸部７６Ｃｅに衝突する塵埃Ｄ１を凹凸部７６Ｃｇにより開口部に導きやすくなる。これにより、比較的大きな塵埃をより急いしやすくすることができる。なお、凹凸部７６Ｃｇは、凹凸形状ではなく、傾斜形状でも良い。
【００４７】
本実施例では、前方フラップについて述べたが、後方フラップに同構造を適用しても同様の効果が得られる。
【実施例５】
【００４８】
以下、本発明に係る実施例５について図１１を参照して説明する。なお、実施例１と同一の構成物には同一番号を付している。
【００４９】
図１１は、前方フラップ７６Ｄの斜視図である。前方フラップ７６Ｄは、金属やステンレススチールなどで形成された金属製の軸部７６Ｄｄに、別部材で構成されるフラップ部７６Ｄａ、接触回動部７６Ｄｂ、７６Ｄｃを嵌合することで構成される。この時、軸部７６Ｄｄに十字リブやＬ字のリブなどの凹凸を備えることでフラップ部７６Ｄａ、接触回動部７６Ｄｂ、７６Ｄｃの空転を防止することができる。接触回動部７６Ｄｂ、７６Ｄｃを同材料にて形成する場合は、これらを一体化した部品として軸部７６Ｄｄに嵌合してもよいし、これらを一体で軸部７６Ｄｄにインサート成形することで構成を簡略化でき、組立性が改善する。
【００５０】
本実施例では、前方フラップについて述べたが、後方フラップに同構造を適用しても同様の効果が得られる。
【実施例６】
【００５１】
以下、本発明に係る実施例６について図１２を参照して説明する。なお、実施例１と同一の構成物には同一番号を付している。
【００５２】
図１２は、前方フラップ７６Ｅの斜視図である。前方フラップ７６Ｅは、樹脂や金属の硬質部材で形成される軸部７６Ｅｄが一体化したフラップ部７６Ｅａに、軟質部材で形成される別体の接触回動部７６Ｅｂ、７６Ｅｃが嵌合され、構成される。この時、軸部７６Ｅｄに十字リブやＬ字のリブなどの凹凸を備えることで接触回動部７６Ｅｂ、７６Ｅｃの空転を防止することができる。軸部７６Ｅｄとフラップ部７６Ｅａを一体化することでインサート成形などの複雑な製造工程が無くなるとともに、成型工程を簡素化することができる。また、軟質部材は硬質部材と比較し高価であることが多く、接触回動部７６Ｅｂ、７６Ｅｃのみ軟質部材で形成することで軟質部材の使用量を減らし、コストダウンを図ることもできる。
【００５３】
本実施例では、前方フラップについて述べたが、後方フラップに同構造を適用しても同様の効果が得られる。
【実施例７】
【００５４】
以下、本発明に係る実施例７について図１３を参照して説明する。なお、実施例１と同一の構成物には同一番号を付している。
【００５５】
図１３は、後方フラップ７７Ｆの斜視図である。後方フラップ７７Ｆは、樹脂や金属の硬質部材で形成される軸部７７Ｆｄが一体化した、軸方向に連続して設けられる嵌合部７７ｅを有するフラップ部７７Ｆａに、嵌合部７７Ｆｅに嵌合されるシール部材７７Ｆｆ、軸部７７Ｆｄに嵌合される軟質部材で形成される別体の接触回動部７７Ｆｂ、７７Ｆｃによって構成される。
【００５６】
フラップ部７７Ｆａの先端に軟質部材または刷毛部材で形成されるシール部材７７Ｆｆを備えることで床面Ｍを傷つけることなく床面Ｍの開口を小さくし吸口体内部の気密を高めることができる。また、シール部材７７Ｆｆを変更することで吸口体内部の気密の調整を行うことができるため、用途や電気掃除機の機種によって床面への張り付きを調整し、様々な形態、吸引力を有する電気掃除機でも吸口体本体の形状を変更することなく、軽い操作性を実現することができる。
【００５７】
本実施例では、後方フラップについて述べたが、前方フラップに同構造を適用しても同様の効果が得られる。
【実施例８】
【００５８】
以下、本発明に係る実施例８について図１４を参照して説明する。なお、実施例１と同一の構成物には同一番号を付している。
【００５９】
図１４は、吸口ケース１０の、軸受押え部材３２を外した状態の斜視図である。後方フラップ７７Ｇの軸部７７Ｇｄの先端にはバネ１００が備えられており、バネの一端は吸口ケース１０に当接し、多端は軸部７７Ｇｄに設けられたリブ７７Ｇｈに当接している。これにより後方フラップ７７Ｇは吸口体を前後操作しない状態、または床面抵抗の小さい床面において可動せず、床面Ｍとの開口を閉じたまま後方に付勢され、吸口体の後方へ漏れる風切り音を低減することができる。
【００６０】
本実施例では、バネにてフラップを付勢する構成を説明したが、フラップを閉方向、または開方向に付勢出来れば、他の手段にて実施しても良い。
【００６１】
本実施例では、後方フラップについて述べたが、前方フラップに同構造を適用しても同様の効果が得られる。
【００６２】
また，本実施例では，床移動型の掃除機の吸口体について述べたが，いわゆるコードレススティック型掃除機の吸口体に適用しても，同様の効果が得られる。
【符号の説明】
【００６３】
１      電気掃除機
２      掃除機本体
２ａ    電動送風機
２ｂ    集塵部
６      吸口体
１０    吸口ケース
２０    回転ブラシ
７６    前方フラップ
７７    後方フラップ
４０    電動機
５０    回路基板（制御基板）
７０、７１    実施例１によるサイド固定刷毛
Ｍ      床面
Ｑ      ブラシ室
Ｐ      均圧室
【図１】
2019187579.tif 000003
【図２】
2019187579.tif 000004
【図３】
2019187579.tif 000005
【図４】
2019187579.tif 000006
【図５】
2019187579.tif 000007
【図６】
2019187579.tif 000008
【図７】
2019187579.tif 000009
【図８】
2019187579.tif 000010
【図９】
2019187579.tif 000011
【図１０】
2019187579.tif 000012
【図１１】
2019187579.tif 000013
【図１２】
2019187579.tif 000014
【図１３】
2019187579.tif 000015
【図１４】
2019187579.tif 000016